(57)【要約】【課題】日本人の肌を照らした場合であっても，赤みがかった「くすみ」が目立たないように照らすことができる照明器具を提供する。【解決手段】波長域６５０〜７８０ｎｍにおける光の最小透過率が８０％以上であり，波長域４５０〜６００ｎｍにおける光の最小透過率が７５％以下である照明器具用フィルタと，光源と，を組合せてなり，照明器具用フィルタは，波長域３８０〜４００ｎｍにおける光の最小透過率が８０％以上であることを特徴とする。【選択図】図３
2008165992.tif 000002
【特許請求の範囲】
【請求項１】
波長域６５０〜７８０ｎｍにおける光の最小透過率が８０％以上であり，波長域４５０〜６００ｎｍにおける光の最小透過率が７５％以下である照明器具用フィルタと，光源と，を組合せてなることを特徴とする照明器具。
【請求項２】
照明器具用フィルタは，波長域３８０〜４００ｎｍにおける光の最小透過率が８０％以上であることを特徴とする請求項１に記載の照明器具。
【発明の詳細な説明】
【技術分野】
【０００１】
本発明は、照明器具用フィルタと，光源と，を組合せてなる照明器具に関するものである。
【背景技術】
【０００２】
従来から、住宅・店舗照明の分野においては、色温度が約５０００Ｋから約７０００Ｋまでの、比較的高色温度の高輝度放電灯が使用されている。しかし、照明された空間をより落ち着いた雰囲気にするためには、高輝度放電灯よりも、色温度が２８００Ｋから４５００Ｋまでの、低色温度のハロゲン電球による照明が適している。このような背景から、近年、住宅・店舗照明の分野においては、低色温度の光源を用いた照明器具の利用が増加している。
【０００３】
しかしながら、低色温度の光源を利用した照明器具では、被照射物の色の見え方に問題がある。例えば、光色の黄ばみが強いため、日本人の肌の見え方が悪くなる。また白いワイシャツや新聞紙が白く見えない、すなわち白色感に劣るといった可能性もある。また、色の見えが劣るため色の識別に関しても問題があり、似た色を見分けることが他の光色に比べ、困難となる可能性がある。
【０００４】
このような問題点を解決する照明器具として，特開平１１−３３９７２５号公報（特許文献１），特願平１１−３８３４４号公報（特許文献２），特願平９−１５６１８号公報（特許文献３），特開平５−６２６４６号公報（特許文献４），特開平８−２２７０９号公報（特許文献５），特開平８−２４０９５号公報（特許文献６），特開平６−１７６７３８号公報（特許文献７）に記載されている技術が参考となる。
【０００５】
特許文献１では、放射される可視光のピーク波長が、４００〜４９０ｎｍの青色領域、５００〜５５０ｎｍの緑色領域、６００〜６７０ｎｍの赤色領域，となる組合せを含む放電ランプが開示されている。
【０００６】
特許文献２では、特許文献１と同様、ガラスバルブ内面に複数の蛍光体を含む発光層を形成することにより、青色領域、緑色領域、赤色領域、深赤色領域に発光ピークを有する蛍光ランプが開示されている。
【０００７】
特許文献３では、４００〜４７０ｎｍ、４７０〜５３５ｎｍ、５４０〜５５０ｎｍ、６００〜６１５ｎｍ、６１５〜６７０ｎｍそれぞれに発光ピークを有する蛍光体を主成分とした混合蛍光体からなる蛍光体層を、ガラス管内面に形成したことを特徴とする蛍光ランプが開示されている。
【０００８】
特許文献４では、相関色温度が２８５０Ｋ以上、３１５０Ｋ以下、黒体放射軌跡からからのＣＩＥ １９６４ ｕｖ色度のずれが−０．００５以上、０．００１以下、Ｒａが８８以上、Ｒ１５が９０以上、Ｒ９が６０以上である蛍光ランプが開示されている。
【０００９】
特許文献５では、演色評価数Ｒ１５の肌色色票の色度値を、赤−緑成分軸と、青−黄成分軸の色成分に変換したとき、この両軸の値の増減により肌色の品と活気について調色を行う肌色照明方法が開示されている。
【００１０】
特許文献６、７では、肌色など特定の色の見え方をより自然に、かつ様々な環境に沿ったふさわしい見え方になるよう、複数の光源を組み合わせることにより混光する方法が開示されている。
【特許文献１】特開平１１−３３９７２５号公報
【特許文献２】特願平１１−３８３４４号公報
【特許文献３】特願平９−１５６１８号公報
【特許文献４】特開平５−６２６４６号公報
【特許文献５】特開平８−２２７０９号公報
【特許文献６】特開平８−２４０９５号公報
【特許文献７】特開平６−１７６７３８号公報
【発明の開示】
【発明が解決しようとする課題】
【００１１】
しかしながら、上記特許文献に記載の照明器具を用いて、日本人の肌を照らした場合，肌の赤みが減少し黒ずんで見える「くすみ」が目立つ可能性がある。これは、肌の赤みが減少することにより、補色となる緑色光の主要波長、５００〜６００ｎｍにおける人間の肌の反射率が、相対的に増加することが原因である。
【００１２】
本願発明は、上記背景技術に鑑みてなされたものであり、その課題は、日本人の肌を照らした場合であっても，赤みが減少し、黒ずんで見える「くすみ」が目立たないように照らすことができる照明器具を提供することである。
【課題を解決するための手段】
【００１３】
上記課題を解決するために、請求項１に記載された発明は、波長域６５０〜７８０ｎｍにおける光の最小透過率が８０％以上であり，波長域４５０〜６００ｎｍにおける光の最小透過率が７５％以下である照明器具用フィルタと，光源と，を組合せてなることを特徴とする照明器具である。
【００１４】
また，請求項２に記載された発明は，照明器具用フィルタが，波長域３８０〜４００ｎｍにおける光の最小透過率が８０％以上であることを特徴とする請求項１に記載の照明器具である。
【発明の効果】
【００１５】
請求項１に記載された発明によれば、波長域６５０〜７８０ｎｍにおける光の最小透過率が８０％以上であり，波長域４５０〜６００ｎｍにおける光の最小透過率が７５％以下である照明器具用フィルタと，光源と，を組合せてなるので，人間の被視感度が最も高い緑色光の主要波長である５００〜６００ｎｍの光を抑制して照射することができるので，くすみが目立たなくなる。
【００１６】
請求項２に記載された発明によれば、照明器具用フィルタが，波長域３８０〜４００ｎｍにおける光の最小透過率が８０％以上であるので，黄の補色である４００ｎｍ以下の青色光を照射することとなり，肌の黄ばみを抑制することができる。
【発明を実施するための最良の形態】
【００１７】
本願発明の一実施形態として、本願の請求項１及び２に対応した照明器具１について図１により説明する。
【００１８】
本実施形態の照明器具１は、図１に示す如く、波長域６５０〜７８０ｎｍにおける光の最小透過率が８０％以上であり，波長域４５０〜６００ｎｍにおける光の最小透過率が７５％以下である照明器具用フィルタと，光源と，を組合せてなることを特徴とする。
【００１９】
また，照明器具用フィルタは，波長域３８０〜４００ｎｍにおける光の最小透過率が８０％以上であることを特徴とする。
【００２０】
以下、本実施形態による照明器具１を、より具体的詳細に説明する。
【００２１】
照明器具１は，これは，照明器具用フィルタ２と，光源３と，反射鏡４と，図示しない点灯回路と、図示しない制御部とで、構成される。
【００２２】
照明器具用フィルタ２は，照明器具、もしくはハロゲン電球などの光源２に装着して光源２からの光のうち，特定の波長を有効に照射することができるものをいう。本実施形態では，人間の被視感度が最も高い緑色光の主要波長である５００〜６００ｎｍの光を抑制し，黄の補色である４００ｎｍ以下の青色光を照射することとができるものが好ましい。
【００２３】
照明器具用フィルタ２の作製方法として、ガラスやプラスチックなどの透光性を有する基材に特定の染料や色素、顔料などの添加剤を単独、もしくは組み合わせて含有させればよい。材質がガラスである場合には、特定の波長域の光のみを吸収するような金属イオンをドーピングする方法が一般的である。このようにして、略板状に加工したものを所望の形状に切断、研磨などすることで作成される。
【００２４】
また、任意の形状に加工したガラスやプラスチック上に、コーティング膜を形成する方法もある。このコーティング膜は、照明器具用フィルタ２の片面にのみ、もしくは両面に形成されてもよい。また、照明器具用フィルタ２に形成されるコーティング膜は単一の材料で形成されていてもよく，あるいは複数の材料で複数層形成されていてもよい。
【００２５】
コーティング膜の形成方法としては、エアガンを用いた一般的な塗装法、グラビア法、ダイコート法などの湿式法、真空蒸着法やスパッタリング法、熱ＣＶＤ法やプラズマＣＶＤ法などの乾式法がある。また、所望の特性を有するフィルムなどを貼付する方法もある。
【００２６】
なお，本発明にかかる照明器具用フィルタ２の作製方法や使用材料については、上記内容に特に限定されるものではない。
【００２７】
光源３は、ハロゲン電球，高輝度放電灯を使用することができる。本実施形態においては、ハロゲン電球を用いている。
【００２８】
ハロゲン電球は、ハロゲンバルブとも言われ、電球内部に封入する窒素やアルゴンなどの不活性ガスに、ヨウ素、臭素などのハロゲン元素を微量導入したものを指す。
【００２９】
ハロゲン電球は、一般の白熱電球と同様、フィラメントに通電した際の発光を利用しており、白熱電球よりもフィラメントの温度が高くなるため、一般の白熱電球よりも明るいといった特徴がある。また、使用している間、明るさや色温度がほとんど変化することがなく、コンパクトにできるという特徴もあり、店舗やスタジオのスポット照明、ダウンライトなどの照明器具用光源として多用されている。
【００３０】
また近年では、光源からの熱放射を低減するため、任意の形状に形成された反射鏡に熱線吸収膜を設け、可視光を効率よく照射するダイクロイックミラーとハロゲン電球を一体化させて光と熱を制御する、反射鏡一体型ハロゲン電球も多用されている。
【００３１】
高輝度放電灯は、ＨＩＤ（Ｈｉｇｈ  Ｉｎｔｅｎｓｉｔｙ  Ｄｉｓｃｈａｒｇｅ）ランプとも呼ばれ、金属蒸気中の放電によって発光するメタルハライドランプ（メタハラ）、高圧ナトリウムランプ、水銀ランプの総称である。高輝度放電灯は、１灯あたりの光束が大きく、白熱電球に比べて高効率、長寿命であるため、公共施設や産業施設、商業施設などの大規模空間用の照明器具光源として用いられている。また近年、コンパクトサイズの高輝度放電灯を用いて、店舗などの室内用照明器具としても利用されている。
【００３２】
反射鏡４は、光源２の光を照射面に有効に導くことで照明器具１としての効率を向上させるもので、汎用のものが使用される。本実施形態においては、アルミ基材に銀蒸着を施したものを用いている。
【００３３】
点灯回路は、光源２を点灯させる高周波電力を供給するものであり、本実施形態においては、商用電源を整流する整流平滑回路と、整流された電力を高周波電力に返還するハーフブリッジ型インバータを主要構成要素とするものである。
【００３４】
また点灯回路は、制御部からの信号によって光源２の光出力を調節し、明るさを一定に保つものである。
【００３５】
制御部は、点灯回路の光出力を制御する信号を送信するもので、マイクロコンピュータを主要構成要素とする。
【００３６】
以下、表１に示す全光線透過率を有する照明器具用フィルタ２と，光源３と，を組合せた照明器具１について，肌の色の良さの評価結果を，本願発明の実施例１〜１２、比較例１〜２について、説明する。
【００３７】
ここで，照明器具用フィルタ２は，硬質ガラスを所定の形状に成形した基材に、酸化チタンと酸化珪素を交互に合計８〜１４層、電子ビーム蒸着法により形成して作製するものとした。実施例４，１０，比較例１についての照明器具フィルタ１の構成を表２〜４に，全光線透過率曲線を図２〜４に示す。ここで，フィルタの全光線透過率は、日立製作所製自記分光光度計Ｕ−４０００を用いて３８０〜７８０ｎｍの全光線透過率を測定した。なお、分光分布は、前記分光光度計にて透過率を１ｎｍピッチで測定し、分布曲線を描画した。
【００３８】
ここで，光源３は，反射鏡付きハロゲン電球（品番ＪＲ１２Ｖ５０ＷＫＭ／５−Ｈ２，松下電器産業製）とし，この前に，照明器具用フィルタ２を設置した。
【００３９】
ここで，作製された照明器具１からの光による肌の色の良さはＣ*ａｂ値にて評価した。Ｃ*ａｂ値とは，メトリッククロマと称されるもので，色の感覚的な彩度を表す指標である。このＣ*ａｂの値が大きいほど彩度が高く色鮮やかということになる。Ｃ*ａｂは，瞬間マルチ測光システム（大塚電子製、商品名 ＭＣＰＥ−３０００）を用いて測定した照明光の分光分布と被照射物の分光反射率からＬ*ａ*ｂ*色空間の色度座標を算出し、ａ*，ｂ*の値から数１により算出する。
【００４０】
【数１】
2008165992.tif 000003
実施例４，１０，比較例１，２についての分光分布を図５〜８に示す。
【００４１】
なお，被照射物は色評価の際に日本人の肌色として用いられる特殊演色評価数Ｒ15を求める際の色票をその対象とした。その分光反射率を図９に示す。また、メトリッククロマおよびその算出に関する詳細は「新編  色彩科学ハンドブック（第２版）（日本色彩学会編）」等を参照のこととする。
【００４２】
【表１】
2008165992.tif 000004
【００４３】
【表２】
2008165992.tif 000005
【００４４】
【表３】
2008165992.tif 000006
【００４５】
【表４】
2008165992.tif 000007
以上に示すごとく、実施例１〜６と比較例１，２との結果から明らかなように、本実施形態によれば、波長域６５０〜７８０ｎｍにおける光の最小透過率が８０％以上であり，波長域４５０〜６００ｎｍにおける光の最小透過率が７５％以下である照明器具用フィルタ２と，光源３と，を組合せてなるので，人間の被視感度が最も高い緑色光の主要波長である５００〜６００ｎｍの光を抑制して照射することができるので，くすみが目立たなくなる。
【００４６】
また，実施例７〜１２と比較例１，２との結果から明らかなように、本実施形態によれば、照明器具用フィルタ２は，波長域３８０〜４００ｎｍにおける光の最小透過率が８０％以上であるので，黄の補色である４００ｎｍ以下の青色光を照射することとなり，肌の黄ばみを抑制することが可能となる。
【図面の簡単な説明】
【００４７】
【図１】本願発明の一実施形態における照明器具の断面図
【図２】本願発明の実施例４における照明器具用フィルタの全光線透過率
【図３】本願発明の実施例１０における照明器具用フィルタの全光線透過率
【図４】本願発明の比較例１における照明器具用フィルタの全光線透過率
【図５】本願発明の実施例４における照明器具からの照明光の分光分布
【図６】本願発明の実施例１０における照明器具からの照明光の分光分布
【図７】本願発明の比較例１における照明器具からの照明光の分光分布
【図８】本願発明の比較例２における照明器具からの照明光の分光分布
【図９】日本人肌の分光反射率の例示
【符号の説明】
【００４８】
１      照明器具
２      照明器具用光フィルタ
３      光源
【図１】
2008165992.tif 000008
【図２】
2008165992.tif 000009
【図３】
2008165992.tif 000010
【図４】
2008165992.tif 000011
【図５】
2008165992.tif 000012
【図６】
2008165992.tif 000013
【図７】
2008165992.tif 000014
【図８】
2008165992.tif 000015
【図９】
2008165992.tif 000016